(57)【要約】【課題】建築物の外壁に窓等を形成する施工に好適に用いることができる断熱層を備える型枠パネルを用いた開口部構造を提供する。【解決手段】本発明は、断熱層１を備える型枠パネル３を用いた開口部構造であって、溝部４１とコンクリートに埋設する埋設部４２とを有するカバー部材４を、型枠パネル３で形成される型枠５に設けられた開口部５０の周縁に、溝部４１を被嵌状に配設することを特徴とする。【選択図】図１
2018044385.tif 000002
【特許請求の範囲】
【請求項１】
断熱層を備える型枠パネルを用いた開口部構造であって、
溝部とコンクリートに埋設する埋設部とを有するカバー部材を、前記型枠パネルで形成される型枠に設けられた開口部の周縁に、前記溝部を被嵌状に配設することを特徴とする開口部構造
【請求項２】
型枠パネルは、化粧材と断熱層からなり、前記化粧材は、そのコンクリート打設工程において、間隔保持部材と連結されることを特徴とする請求項１に記載の開口部構造。
【発明の詳細な説明】
【技術分野】
【０００１】
本発明は、建築物の外壁に窓等を形成する施工に好適に用いることができる断熱層を備える型枠パネルを用いた開口部構造に関する。
【背景技術】
【０００２】
従来、建築物の外壁の断熱性を向上するために、外装材の内側に断熱材を配設した断熱層を形成したコンクリート構造は広く知られているが、該構造を施工するために、断熱材をコンクリート打設用の型枠として用いる工法は、例えば特許文献１や特許文献２等にも提案されている。
尤も、前記特許文献１には、コンクリートの打設後に外装材（外壁用の化粧板）を取り付けることがその明細書（段落００１５等）に記載されているので、コンクリートの打設後にそのまま外壁として用いることができるという利点を有するものではない。
また、特許文献２には、断熱材（断熱ボード１１）と外装下地材（外装下地材１２）とを積層して型枠兼用断熱パネルとして用いることが記載されている。
【先行技術文献】
【特許文献】
【０００３】
【特許文献１】特開２０１０−１５０８７１号公報
【特許文献２】特許第４９３１４６３号公報
【発明の開示】
【発明が解決しようとする課題】
【０００４】
しかしながら、外壁に窓等を形成する目的で開口部を形成するに際し、前記特許文献１のような仕様では、コンクリートの打設、硬化後に断熱材を切り欠き（切除）、外装仕上げ、開口部仕上げを行うものであるが、断熱材の切除は、外側から行われるためきわめて手間の掛かり、また、仕上げに手間の掛かるものであった。
また、前記特許文献２のような仕様では、外装下地材が断熱材と一体に設けられているため、作業はより難しくなるものであった。
さらに、開口部を開けた後に窓等を取り付けるためのフレーム等をコンクリートに打ち込むという作業を必要とするため、非常に手間の掛かるものであった。
【０００５】
そこで、本発明は、建築物の外壁に窓等を形成する施工に好適に用いることができる断熱層を備える型枠パネルを用いた開口部構造を提案することを目的とする。
【課題を解決するための手段】
【０００６】
本発明は、上記に鑑み提案されたもので、断熱層を備える型枠パネルを用いた開口部構造であって、溝部とコンクリートに埋設する埋設部とを有するカバー部材を、前記型枠パネルで形成される型枠に設けられた開口部の周縁に、前記溝部を被嵌状に配設することを特徴とする開口部構造に関するものである。
【０００７】
また、本発明は、前記開口部構造において、型枠パネルは、化粧材と断熱層からなり、前記化粧材は、そのコンクリート打設工程において、間隔保持部材と連結されることを特徴とする開口部構造をも提案する。
【発明の効果】
【０００８】
本発明の開口部構造は、溝部とコンクリートに埋設する埋設部とを有するカバー部材を、前記型枠パネルで形成される型枠に設けられた開口部の周縁に、前記溝部を被嵌状に配設する構成であるが、その際、型枠パネルを形成する断熱層（断熱材）の端縁は、カバー部材の溝部に保護されて施工後の化粧を必要としないものである。
【０００９】
また、型枠パネルは、化粧材と断熱層からなり、前記化粧材は、そのコンクリート打設工程において、間隔保持部材と連結される場合には、コンクリートの打設圧を化粧材に負担させることができるため、強度の低い断熱材を用いることができる。
【図面の簡単な説明】
【００１０】
【図１】（ａ）本発明のコンクリート打設工程における開口部構造の左右端を示す上方から見た断面図、（ｂ）コンクリート打設工程における開口部構造の上下端を示す右方から見た側断面図、（ｃ）用いたカバー部材を拡大して示す断面図、（ｄ）用いた支持材を拡大して示す断面図である。
【図２】（ａ）開口部の周縁に配設するカバー部材の分解斜視図、（ｂ）カバー部材の組み付け状態を示す（開口部構造におけるカバー部材のみを示す）平面図である。
【図３】（ａ）開口部の周縁を示す平面図、（ｂ）開口部の左右端を示す上方から見た断面図、（ｃ）上段は開口部の上方又は下方における化粧材の断面図、下段は開口部における（開口部の側方における）化粧材の断面図、（ｄ）用いた化粧材二種を拡大して示す断面図、（ｅ）開口部の上下端を示す右方から見た断面図、（ｆ）化粧材の側断面図である。
【図４】（ａ）型枠パネルにて形成される開口部を有する型枠を示す斜視図、（ｂ）該型枠パネルにカバー部材及び支持材を取り付けた状態を示す斜視図、（ｃ）その背面側から見た斜視図である。
【図５】（ａ）施工後の開口部構造の左右端を示す上方から見た断面図、（ｂ）該開口部構造にサッシを取り付けた状態を示す断面図である。
【発明を実施するための形態】
【００１１】
本発明の開口部構造は、断熱層を備える型枠パネルを用いた開口部構造であって、溝部とコンクリートに埋設する埋設部とを有するカバー部材を、前記型枠パネルで形成される型枠に設けられた開口部の周縁に、前記溝部を被嵌状に配設することを特徴とする。
【００１２】
本発明における型枠パネルは、前述のように断熱層を備えるものであって、型枠としての強度を得られれば断熱材のみで構成されるものでもよく、断熱材の外面側に化粧材（外装材）や補強材等を積層した構成でもよい。
また、断熱層を形成する断熱材は、コンクリートの打設圧で破裂しないものであればどのような素材のものも適用でき、単層からなるものでも、異なる特性を有する二種以上の断熱材を積層したものでもよいし、別途補強材等を用いたものでもよい。
【００１３】
なお、断熱材の外面側に積層する化粧材（外装材）としては、化粧面となる面板部と、該面板部の裏面側にコンクリート打設工程において間隔保持部材を連結可能な定着部とを有するものが望ましく、それ以外の構成は特に限定するものではない。
その素材や成形法についても限定するものではなく、各種素材の面材を適用することができ、金属面材でも硬質樹脂板でもよく、或いはアルミ等の押出型材を用いてもよい。その厚みについても限定するものではないが、大凡厚みは１．２〜１．６ｍｍ以上であって、コンクリート打設圧等の多少の応力が作用しても面が歪んだり変形することがない強度を有するものがより望ましい。
後述する図示実施例では、一方には定着部を備え、他方には備えない２種の化粧材を交互に接続した化粧材を用いているが、１種のみでも３種以上でもよい。
なお、各種の問題から特に押出型材からなる化粧材では、概ね幅が２００ｍｍ程度が汎用的（実用的）であり、通常１ｍ近い幅に成形される断熱材に対して複数枚の化粧材を添設するものとなる。このように、一体の断熱材に対して一枚の壁材を添設してもよいが、前述の成形幅の問題から、一体の断熱材に対して複数枚の壁材を添設する手法が採られ易い。そして、図示実施例のように一体の断熱材に対し、二種の壁材を交互に複数枚添設する態様もある。
【００１４】
前記化粧材の面板部の裏面側に設ける定着部について簡単に説明すると、セパレータと称される間隔保持部材（棒状部材）の端部を連結できるものであればよく、例えば間隔保持部材をボルト材とした場合には、各種の角ナットや複数の雌螺子部を螺設した板状材を定着材として配置したもの、或いは被重合片を厚肉にしてタップ加工（雌ねじ加工）を施したものでもよい。
特に面板部の裏面側に、側方又は裏面側が開放する空間部を設け、該空間部内に螺子部を有する定着材（各種の角ナット）を取り付けて定着部を形成してもよい。汎用のナットを用いた場合には、ナットの頭部は角形であるため、ボルト材の取付に際して共回り（自転）が防止されるものとなる。なお、この空間部には、定着材と化粧材との接触を防止する緩衝材を介在させることが望ましい。この緩衝材としては、前記断熱材と同材であってもよいし、ゴム等の弾性材であってもよい。
コンクリート打設工程において、前記化粧材の定着部に連結する間隔保持部材（棒状部材）は、前述のように定着部がナット等のように雌螺子部を有する場合には、この間隔保持部材（棒状部材）として雄螺子部を備えるボルト材等を用いればよい。
このように化粧材の裏面側に定着部を設け、コンクリート打設空間内に配設される間隔保持部材を、前記定着部に連結した場合には、型枠パネルの裏面側からノロが漏れ出そうとしても、ノロの漏れ出しを防止できるので、コンクリートの打設後に面倒な処理や仕上げ作業を必要とすることがなく、そのまま化粧材（外装材）として用いることができる。
尤も、後述する図示実施例における開口部廻りに用いられる間隔保持部材は、コンクリートの打設空間に位置しないため、前述のノロの問題も生じない。即ち前述のノロの問題が生じるのは、開口部廻りを除く一般部においてである。
【００１５】
本発明に用いるカバー部材は、前述のように溝部とコンクリートに埋設する埋設部とを有するものであって、例えばアルミの金属押出成形体等の強度の高い素材でもよいし、強度を補助する補助型枠を併用する場合には、薄肉の金属板材や硬質樹脂の成形体等の比較的強度の低い素材を用いてもよい。
前記溝部は、一方が開放する横溝又は縦溝であって、その内部には前記型枠パネルの端部が収納されるものであれば特にその形状等を限定するものではない。
また、前記埋設部は、打設するコンクリート中に埋設されるものであるから、コンクリートの打設空間に配設されるものであればよく、特にその形状等を限定するものではないが、コンクリートとの接触面積が大きい方が望ましいため、表面積が大きな片状が好ましく、アンカー作用を例えば鏃状、返し状等の形状を備えることが好ましい。
【００１６】
また、前記補助型枠は、前記カバー部材と共に前記型枠パネルの端部に取り付けられるものであって、前記カバー部材に作用するコンクリートの打設圧を負担できる強度の高いものであれば特にその材質や形状等を限定するものではない。例えば断面矩形状（略四角柱状）の木材等を用いてもよいが、後述する図示実施例では、ＦＲＰ製の断面コ字状の連続材を用いた。この補助型枠は、コンクリートを打設した後は取り外して繰り返し使用することができる。
【００１７】
そして、前記構成のカバー部材と、前記構成の型枠パネルとを組み合わせるに際し、カバー部材を、前記型枠パネルで形成される型枠に設けられた開口部の周縁に、前記溝部を被嵌状に配設する。即ち開口部とは、外壁に窓等を形成するための空間を指すが、該空間（開口部）が平面視矩形状の場合、開口部の上下方向及び左右方向にそれぞれ前記型枠パネルを配設して開口部を形成するが、その際、開口部の周縁に前記溝部を被嵌状に配設する、言い換えればカバー部材をその溝部が被嵌状に配設されるように配する。
具体的には開口部の上方に配設される型枠パネルに対し、その下端にカバー部材を位置させ、その溝部が開口部の上縁を形成するものとし、開口部の下方に配設する型枠パネルに対し、その上端にカバー部材を位置させ、その溝部が開口部の下縁を形成するものとする。また、開口部の左方に配設する型枠パネルに対し、その右端にカバー部材を位置させ、その溝部が開口部の左縁を形成するものとし、開口部の右方に配設する型枠パネルに対し、その左端にカバー部材を位置させ、その溝部が開口部の右縁を形成するものとする。
【００１８】
このように本発明の開口部構造は、断熱層を備える型枠パネルをコンクリート型枠として用いるものであり、溝部とコンクリートに埋設する埋設部とを有するカバー部材を、前記型枠パネルで形成される型枠に設けられた開口部の周縁に、前記溝部を被嵌状に配設する構成であるため、開口部が平面視矩形状の場合、開口部の上下方向及び左右方向にそれぞれ型枠パネルを配設して開口部を形成するが、その際、カバー部材をその溝部が被嵌状に配設されるように配する。したがって、型枠パネルを形成する断熱層（断熱材）の端縁は、カバー部材の溝部に保護されて施工後の化粧を必要としないものである。
【００１９】
また、型枠パネルが化粧材と断熱層からなり、化粧材をそのコンクリート打設工程において間隔保持部材と連結させる場合には、コンクリートの打設圧を化粧材に負担させることができるため、強度の低い断熱材を用いることができる。
【実施例１】
【００２０】
本発明の開口部構造は、図１（ａ）に示す図示実施例のように断熱層（断熱材１）を備える型枠パネル３を用いたものであって、溝部４１とコンクリートに埋設する埋設部４２とを有するカバー部材４（４Ａ，４Ｂ）を、前記型枠パネル３で形成される型枠５に設けられた縦長で矩形状の開口部５０の周縁（ここでは左右縁）に、前記溝部４１を被嵌状に配設した構成である。この図１（ａ）は、コンクリート打設工程における左右端を上方側から見た断面図であり、図１（ｂ）は、その上下端を側方から見た側断面図であり、両図における点線ハッチングで示す符号９０は、コンクリート打設空間を示している。
後述するようにこの図示実施例では、通常の縦寸法を有する型枠パネル３，３と、縦寸法を小さくした型枠パネル３'，３'とを配設することにより、矩形状の開口部５０を形成しているので、前記図１（ｂ）は、『断熱層（断熱材１'）を備える型枠パネル３'を用いたものであって、溝部４１'とコンクリートに埋設する埋設部４２'とを有するカバー部材４（４Ｃ，４Ｄ）を、前記型枠パネル３'で形成される型枠５に設けられた縦長で矩形状の開口部５０の周縁（ここでは上下縁）に、前記溝部４１'を被嵌状に配設した構成』となる。
なお、前記開口部５０は、より詳細には、図３や図４に示すように断熱材１，１'の横幅と略同等の横幅を有する平面視矩形状である。
【００２１】
この図示実施例における型枠パネル３，３'は、図４に示すように縦長で平面視が略矩形状の断熱材１，１'とその表面に積層した化粧材（外装材）２，２'とからなり、より詳しくは一枚の断熱材１，１'に対して二種の化粧材２Ａ，２Ｂ（２Ａ'，２Ｂ'）を交互に合計四枚積層した構成である。
そして、前述のように矩形状の開口部５０は縦長であるため、その左右に隣接する型枠パネル３，３については、開口部５０を形成しない一般的な外壁と全く同様であるが、開口部５０の上下に隣接する型枠パネル３'，３'については、開口部５０の左右に配する型枠パネル３よりも縦方向の寸法を短く形成している以外に差異はない。言い換えれば、通常の縦寸法を有する型枠パネル３，３と、縦寸法を小さくした型枠パネル３'，３'とを配設することにより、平面視が矩形状の開口部５０を形成している。
【００２２】
前記断熱材１は、その左右の端縁が、一方が表面側から、他方が裏面側から切り欠かれて相じゃくり状に重合可能であって、重合状に臨む端縁１１を重合部、該重合部１１と重合する端縁１２を被重合部としている。なお、その上下の端縁は、略平坦状に断裁されている。
また、前述のように開口部５０の左右に隣接する型枠パネル３，３と、その上下に隣接する型枠パネル３'，３'とを区別したので、同様に開口部５０の上下に隣接する型枠パネル３'を形成する断熱材１'としたが、開口部５０の左右に配する断熱材１よりも縦方向の寸法を短く形成している以外に差異はない。
【００２３】
前記化粧材２のうち、図３（ｄ）の左側に示す第１化粧材２Ａは、仕上げ面となる面板部２１の裏面側に空間部２４を備える構成であり、面板部２１の略中央に略Ｔ字状に表面側へ突出する突条２１１が設けられ、対向する端縁には係合部２２，係合受部２３が設けられるアルミの押出型材である。同図の右側に示す第２化粧材２Ｂは、面板部２１の略中央に略Ｔ字状に表面側へ突出する突条２１１が設けられる点では前記第１化粧材２Ａと同様であるが、対向する端縁には係合部２５，係合受部２６が設けられる。なお、前記係合部２２，２５の表面側には、前記突条２１１と同形状の突条が設けられている。
そして、図３（ｃ）に示すように前記第１化粧材２Ａの係合部２２と第２化粧材２Ｂの係合受部２６とが係合状に組み付けられ、略コ字状の空間部２４を備える成形部が形成され、第１化粧材２Ａの係合受部２３と第２化粧材２Ｂの係合部２５とが係合状に組み付けられる。なお、前記空間部２４には、点線で示すナット等の定着材７ｂ及び緩衝材７ｃを収容して定着部とした。
また、前述のように開口部５０の左右に隣接する型枠パネル３，３と、その上下に隣接する型枠パネル３'，３'とを区別したので、同様に開口部５０の上下に隣接する型枠パネル３'を形成する化粧材２Ａ'，２Ｂ'としたが、開口部５０の左右に配する化粧材２Ａ，２Ｂよりも縦方向の寸法を短く形成している以外に差異はない。したがって、図３（ｃ）の上段の中央には、縦寸法が短い化粧材２'（２Ａ'，２Ｂ'）が位置し、その外側には縦寸法が長い化粧材２（２Ａ，２Ｂ）が位置している。また、図３（ｆ）では、上下段に縦寸法が短い化粧材２'が位置し、中央のみに縦寸法が長い化粧材２が位置しているように描かれているが、この縦寸法の長い化粧材２は中央ばかりではなく、その上下にも連続していることは図４（ａ），（ｂ）などにも示すとおりである。
【００２４】
この図示実施例におけるカバー部材４は、前述のように溝部４１とコンクリートに埋設する埋設部４２とを有する構成であって、図２（ａ），（ｂ）に示すように開口部５０の左側、右側、上側、下側に配するカバー部材をそれぞれ４Ａ、４Ｂ、４Ｃ、４Ｄとした。
前記開口部５０の左方、右方に配するカバー部材４Ａ、４Ｂについては同一の長尺な部材であるが、図１（ｃ）に拡大して示すようにその溝部４１が左方に開放し、その埋設部４２も左方に延在するように配するのがカバー部材４Ａであり、その溝部４１が右方に開放し、その埋設部４２も右方に延在するように配するのがカバー部材４Ｂである。
また、前記開口部５０の上方、下方に配するカバー部材４Ｃ、４Ｄについても同一の短尺な部材であるが、その溝部４１'が上方に開放し、その埋設部４２'も上方に延在するように配するのがカバー部材４Ｃであり、その溝部４１'が下方に開放し、その埋設部４２'も下方に延在するように配するのがカバー部材４Ｄである。
なお、前記溝部４１，４１'はその断面形状に示されるようにコ字状の縦溝又は横溝であり、該溝部４１，４１'の底部から延在させた延在片４３，４３'の内側に埋設部４２，４２'が設けられた構成であって、該埋設部４２，４２'はその断面形状に示されるようにＨ字状の突出片状であるが、それぞれの部材長さに応じて溝部４１及び埋設部４２、延在片４３は縦方向に長く延在し、溝部４１'及び埋設部４２'、延在片４３'は横方向にそれより短く延在しているので区別した。
【００２５】
前述のように開口部５０の左右に隣接する縦長の型枠パネル３，３と、その上下に隣接する縦寸法が短い型枠パネル３'，３'とを区別したので、前記カバー部材４Ａ，４Ｂは、型枠パネル３，３の側縁に取り付けられる長尺材であり、前記カバー部材４Ｃ，４Ｄは、型枠パネル３'，３'の上下縁に取り付けられる短尺材である。
また、前記カバー部材４Ａ，４Ｂは、溝部４１を形成する外側片の先端４１１がＬ字状に折曲されており、前記カバー部材４Ｃ，４Ｄは、溝部４１'を形成する外側片のみが左右に長く（延出片４１２，４１２）形成されている。
【００２６】
図示実施例では、図１のようなコンクリート打設工程においては、前記カバー部材４（ここでは４Ａ，４Ｂ）にそれぞれ補助型枠６，６'を併用している。
この補助型枠６，６'は、図１（ｄ）に拡大して示すように平面部６１とその両端縁から直角状の脚片部６２，６２とからなる略コ字状の断面形状を有し、脚片部６２の先端には、肉厚な隆状部６２１が設けられた構成であって、前記カバー部材４Ａ〜４Ｄとほぼ同様の長さを有するＦＲＰ製の高強度材である。
また、図４（ｂ），（ｃ）に示すように長尺な前記カバー部材４Ａ，４Ｂには長尺な６が配設され、短尺な前記カバー部材４Ｃ，４Ｄには短尺な補助型枠６'が取り付けられるが、何れも前記カバー部材４Ａ〜４Ｄの延在片４３，４３'に対して平面部６１が背中合わせ状に取り付けられるように配設した。なお、補助型枠６，６'同士の接続は、図４（ｃ）に示すように補助型枠６の端縁の脚片部６２，６２の側端縁を、補助型枠６'の脚片部６２'，６２'の上端に突き当てるように取り付けると共に補助型枠６'の端面には被覆材６３を配して溝状部を閉塞する。
そして、前記脚片部６２，６２には同図には図示しない通孔６２２が設けられ、コンクリート打設工程においては間隔保持部材７を挿通させることができ、コンクリートの打設後にはこの補助型枠６，６'自体を取り除いて繰り返し使用することができる。
【００２７】
なお、図１（ａ），（ｂ）中の符号５Ｙは型枠、８Ａはフォームタイ（登録商標）、８Ｂは横端太材であって、前述のように補助型枠６，６'を貫通する間隔保持部材７の先端に図示しないナットを締め付けて強固に一体化することができる。
そして、コンクリート打設工程においては、一方側には前記型枠パネル３，３'を図４（ｂ）に示すように配設して開口部５０を備える型枠５を形成すると共に補助型枠６，６'をそれぞれ配設し、他方側には前記型枠５Ｙを対向状に配設する。また、複数の間隔保持部材７を、型枠５，５Ｙを貫通しつつ、化粧材２Ａに設けた空間部２４の定着材７ｂの位置に取り付け、その外側に図１（ａ），（ｂ）に示すようにフォームタイ（登録商標）８Ａ及び横端太材８Ｂを取り付けて強固に締め付け固定した状態でコンクリートを打設する。
【００２８】
打設したコンクリート９が硬化した後、内面側については、図示しないナット、及び前記フォームタイ（登録商標）８Ａ、横端太材８Ｂを外し、型枠５Ｙを取り外した。一方側の外面側については、前記間隔保持部材７を引き抜くと共に前記補助型枠６を取り外すが、型枠パネル３やカバー部材４についてはそのまま用いる。なお、間隔保持部材７や補助型枠６は、繰り返し使用することができる。
【００２９】
このように本発明では、型枠パネル３が開口部５０を有する型枠５を形成するものでもあり、コンクリート打設工程の後にはそのまま外装材（外装パネル）として用いることができるので、型枠５の開口部構造でもあるし、外壁の開口部構造ということもできる。
外壁の開口部構造としては、例えば図５（ａ）に示す状態が施工直後の左右端の構造であり、形成された開口部５０にサッシＳのような外設部材を取り付けた状態が図５（ｂ）の状態となる。
【符号の説明】
【００３０】
１，１'  断熱材
１１  重合部
１２  被重合部
２  化粧材
２Ａ，２Ａ'  第１化粧材
２Ｂ，２Ｂ'  第２化粧材
２１  面板部
２１１  突条
２２，２５  係合部
２３，２６  係合受部
２４  空間部（定着部）
３，３'  型枠パネル
４，４Ａ〜４Ｄ  カバー部材
４１，４１'  溝部
４１１  Ｌ字状先端
４１２  延出片
４２，４２'  埋設部
５，５Ｙ  型枠
５０  開口部
６  補助型枠
７  間隔保持部材
７ｂ  定着材
７ｃ  緩衝材
８Ａ  フォームタイ（登録商標）
８Ｂ  横端太材
９  コンクリート
９０  打設空間
【図１】
2018044385.tif 000003
【図２】
2018044385.tif 000004
【図３】
2018044385.tif 000005
【図４】
2018044385.tif 000006
【図５】
2018044385.tif 000007